(57)【要約】【課題】沿面距離を増大することで安定した絶縁耐力を有した圧縮機用気密端子を提供する。【解決手段】天板部１ａ、天板部１ａの外周端から下方に向かって延びる筒状部１ｂ、筒状部１ｂの下端から斜め外方に広がるフランジ部１ｃ、及び天板部１ａからカップの内方側に向かって延びかつその内部にリード封着孔１ｄを形成する小筒状部１ｅを備えた金属外環１のリード封着孔１ｄに、封着用ガラス２を介してリード３が封着され、金属外環１の内面側の封着用ガラス２に天板部１ａと平行に小筒状部１ｅを超えて延在するように絶縁スリーブ４が溶着されているので、一定の大きさの圧縮機用気密端子において、沿面距離を効率よく増大し絶縁破壊を防止でき、材料の使用量を低減することが可能となり製造コストを低減することができる。【選択図】図１
2008258100.tif 000002
【特許請求の範囲】
【請求項１】
円形の天板部、前記天板部の外周端から下方に向かって延びる筒状部、前記筒状部の下端から延在したフランジ部、及び前記天板部から内方側に向かって延びかつその内部にリード封着孔が形成された小筒状部を備えた金属外環と、
前記金属外環の前記リード封着孔に封着用ガラスを介して封着されたリードと、
前記金属外環の内面側の封着用ガラス溶着された絶縁スリーブとからなり、
前記絶縁スリーブが、前記金属外環の内面側の前記封着用ガラスに前記天板部と平行に前記小筒状部を超えて延在するように溶着されたことを特徴とする、圧縮機用気密端子。
【請求項２】
前記絶縁スリーブが、前記金属外環の内面側の前記封着用ガラスに前記天板部と平行に前記小筒状部を超えて延在し、かつ、前記小筒状部の外周面に沿う鍔部を設けたことを特徴とする、請求項１に記載の圧縮機用気密端子。
【発明の詳細な説明】
【技術分野】
【０００１】
本発明は、圧縮機に使用する気密端子に関し、より特定的には、高絶縁耐力機能が必要とされる圧縮機用気密端子に関する。
【背景技術】
【０００２】
従来の圧縮機用気密端子としては、金属外環とリードとの間が短絡したり抵抗低下したりすることで過大な電流が流れ、その際の発熱によってガラスが溶融しリードが脱落することを防止するために、金属外環とリードとの間の沿面距離を増大する構成を採っているものがあった（例えば、特許文献１を参照）。
【０００３】
図４は、上記特許文献１に記載された従来の圧縮機用気密端子を示した断面図である。
図４において、鋼材にプレス加工を施した金属外環１０１に円形の天板部１０１ａと、天板部１０１ａの外周端から下方に向かって延びる筒状部１０１ｂと、筒状部１０１ｂの下端から斜め外方に広がるフランジ部１０１ｃと、天板部１０１ａからカップの内方側に向かって延びかつその内部にリード封着孔１０１ｄを形成する小筒状部１０１ｅとを、一体に備えたカップ状を成している。
【０００４】
金属外環１０１のリード封着孔１０１ｄに、ソーダバリウムガラスやソーダライムガラス等の封着用ガラス１０２を介して、封着用ガラス１０２との封着性に優れた鉄−クロム合金等からなるリード１０３が、気密性と絶縁性を有するように封着されている。
【０００５】
さらに、金属外環１０１の内面側の封着用ガラス１０２に、高絶縁耐力でかつ封着用ガラス１０２に馴染み易いアルミナセラミックやフォルステライト等の絶縁スリーブ１０４が溶着されているものがある。
【０００６】
この従来の圧縮機用気密端子によれば、封着用ガラス１０２によりリード１０３がガラス封着により取着し絶縁されて、さらに、絶縁スリーブ１０４を封着用ガラス１０２に溶着し沿面距離を増大することで絶縁耐力を向上している。
【特許文献１】特開２００１−９３５９６号公報
【発明の開示】
【発明が解決しようとする課題】
【０００７】
しかし、上記従来の構成では、絶縁スリーブ１０４は、高絶縁抵抗と高絶縁耐力とを有し電気的に絶縁する機能を有しているが、絶縁耐力以上の高電圧を印加すると絶縁破壊が生じ絶縁機能が破壊されてしまうという問題がある。
【０００８】
ここで、絶縁耐力は、絶縁スリーブ１０４の材質とリード１０３との間隔（距離）に依存することが知られている。さらに、絶縁破壊は、絶縁スリーブ１０４の表面を介して起こるので、絶縁材の表面の長さである沿面距離を増大すれば良いが、一方で、沿面距離を増大すると圧縮機用気密端子自体の形状が大型になり、材料使用量も多くなり製造コストが増大するという問題がある。
【０００９】
本発明は、上記従来の課題を解決するものであり、沿面距離を増大することで安定した絶縁耐力を有した圧縮機用気密端子を提供するものである。
【課題を解決するための手段】
【００１０】
上記従来の課題を解決するために、本発明の圧縮機用気密端子は、円形の天板部、天板部の外周端から下方に向かって延びる筒状部、筒状部の下端から延在したフランジ部、及び天板部から内方側に向かって延びかつその内部にリード封着孔が形成された小筒状部を備えた金属外環と、金属外環のリード封着孔に封着用ガラスを介して封着されたリードと、金属外環の内面側の封着用ガラス溶着された絶縁スリーブとからなり、絶縁スリーブが金属外環の内面側の封着用ガラスに天板部と平行に小筒状部を超えて延在するように溶着されたものであり、さらに、絶縁スリーブが、金属外環の内面側の封着用ガラスに天板部と平行に小筒状部を超えて延在し、かつ、小筒状部の外周面に沿う鍔部を設けたものである。
【００１１】
かかる構成によれば、沿面距離を効率よく増大し絶縁破壊を防止でき、材料の使用量を低減することが可能となり製造コストを低減することができる。
【００１２】
さらに、絶縁スリーブの金属外環に対する溶着位置精度が向上し、沿面距離のバラツキが低減し絶縁耐力が安定することができる。
【発明の効果】
【００１３】
以上のように、本発明の圧縮機用気密端子によれば、絶縁スリーブが金属外環の内面側の封着用ガラスに天板部と平行に小筒状部を超えて延在するように溶着することで、一定の大きさの圧縮機用気密端子において、沿面距離を効率よく増大し絶縁破壊を防止でき、材料の使用量を低減することが可能となり製造コストを低減することができる。さらに、小筒状部の外周面に沿う鍔部を設けることで、絶縁スリーブの金属外環に対する溶着位置精度が向上し、沿面距離のバラツキが低減し絶縁耐力を安定させることができる。
【発明を実施するための最良の形態】
【００１４】
以下、本発明の実施の形態について、図面を参照しながら説明する。
（実施の形態１）
図１は、本発明の実施の形態１における圧縮機用気密端子の断面図である。
図１において、鋼材にプレス加工を施し、円形の天板部１ａ、天板部１ａの外周端から下方に向かって延びる筒状部１ｂ、筒状部１ｂの下端から斜め外方に広がるフランジ部１ｃ、及び天板部１ａからカップの内方側に向かって延びかつその内部にリード封着孔１ｄを形成する小筒状部１ｅを一体に備えたカップ形状に形成された金属外環１と、金属外環１のリード封着孔１ｄにソーダバリウムガラスやソーダライムガラス等の封着用ガラス２を介して、封着用ガラス２との封着性に優れた鉄−クロム合金としてステンレスからなるリード３とが、気密性及び絶縁性を有するように封着され、金属外環１の内面側の封着用ガラス２に高絶縁耐力でかつ封着用ガラス２に馴染み易いアルミナセラミックやフォルステライト等の粉末を金型により成型した後、焼成した絶縁スリーブ４が溶着されている。
【００１５】
絶縁スリーブ４が、金属外環１の内面側の封着用ガラス２に天板部１ａと平行に小筒状部１ｅを超えて延在するように溶着されている点が、従来技術とは異なる。
【００１６】
かかる構成によれば、一定の大きさの圧縮機用気密端子において、沿面距離を効率よく増大し絶縁破壊を防止でき、材料の使用量を低減することが可能となり製造コストを低減することができる。
【００１７】
（実施の形態２）
図２は、本発明の実施の形態２における圧縮機用気密端子の断面図である。
図２において、本発明の実施の形態１と同じ構成は説明を省略する。図２において、封着用ガラス２に馴染み易いアルミナセラミックやフォルステライト等の粉末を金型により成型後した、焼成した絶縁スリーブ４が、金属外環１の内面側の封着用ガラス２に天板部１ａと平行に小筒状部１ｅを超えて延在し、さらに、小筒状部１ｅの外周面に沿う鍔部４ａを設けられている点が、本発明の実施の形態１とは異なる。
【００１８】
かかる構成によれば、一定の大きさの圧縮機用気密端子において、より一層沿面距離を効率よく増大し絶縁破壊を防止でき、材料の使用量を低減することが可能となり製造コストを低減することができる。
【００１９】
さらに、小筒状部１ｅの外周面に鍔部４ａが沿う構成を採ることで、絶縁スリーブ４の金属外環１に対する溶着位置精度が向上し、沿面距離のバラツキが低減し絶縁耐力が安定することになる。
【産業上の利用可能性】
【００２０】
本発明の気密端子は、圧縮機等に利用可能であり、特に高絶縁耐力機能が必要である場合等に有用である。
【図面の簡単な説明】
【００２１】
【図１】本発明の実施の形態１における圧縮機用気密端子の断面図
【図２】本発明の実施の形態２における圧縮機用気密端子の断面図
【図３】従来の圧縮機用気密端子の全体図
【図４】従来の圧縮機用気密端子の断面図
【符号の説明】
【００２２】
１、１０１  金属外環
１ａ、１０１ａ  天板部
１ｂ、１０１ｂ  筒状部
１ｃ、１０１ｃ  フランジ部
１ｄ、１０１ｄ  リード封着孔
１ｅ、１０１ｅ  小筒状部
２、１０２  封着用ガラス
３、１０３  リード
４、１０４  絶縁スリーブ
４ａ  鍔部
【図１】
2008258100.tif 000003
【図２】
2008258100.tif 000004
【図３】
2008258100.tif 000005
【図４】
2008258100.tif 000006